(57)【要約】【課題】  撮影機能の設定ミスをカバーし、所望の画像を撮影することができる撮影装置等を提供する。【解決手段】  撮影装置の制御部２１は、過去の撮影において指定された撮影機能に関する撮影機能履歴情報をメモリに記憶する。制御部２１は、撮影機能の指定を受け付け、また、撮影の指示に応答して、指定された撮影機能に基づく撮影と、撮影機能履歴情報により特定される撮影機能に基づく撮影と、を撮影部２３に実行させる。そして、制御部２１は、データ記録部２４を介して、同一の撮影の指示に応答して撮影された各画像を関連づけてメモリカード２５に保存させる。また、制御部２１は、撮影の後、指定された撮影機能に基づいてメモリの撮影機能履歴情報を更新する。【選択図】  図２
2005278026.tif 000002
【特許請求の範囲】
【請求項１】
複数の撮影機能を備える撮影装置であって、
過去の撮影において指定された撮影機能に関する撮影機能履歴情報を記憶する撮影機能履歴情報記憶手段と、
任意の撮影機能を指定する指定手段と、
撮影を指示する指示手段と、
前記指示手段による撮影の指示に応答して、前記指定手段により指定された撮影機能に基づく撮影と、前記撮影機能履歴情報により特定される撮影機能に基づく撮影と、を行う撮影手段と、
同一の撮影の指示に応答して前記撮影手段により撮影された各画像を関連づけて保存する手段と、
前記撮影手段による撮影の後、前記指定手段により指定された撮影機能に基づいて前記撮影機能履歴情報を更新する更新手段と、
を備えることを特徴とする撮影装置。
【請求項２】
前記撮影機能履歴情報は、過去の撮影において指定された撮影機能の使用回数を示す情報であり、
前記撮影手段は、前記撮影機能履歴情報に基づく撮影において、当該撮影機能履歴情報を参照し、過去の撮影において使用回数の多い撮影機能を特定し、当該特定した撮影機能に基づく撮影を行う、
ことを特徴とする請求項１に記載の撮影装置。
【請求項３】
複数回の撮影で使用された撮影機能の使用回数の情報を保持する手段と、
前記保持された撮影機能のうち、使用回数の多い撮影機能に絞り込む手段と、をさらに備え、
前記更新手段は、前記絞り込まれた撮影機能に基づいて前記撮影機能履歴情報を更新する、
ことを特徴とする請求項１又は２に記載の撮影装置。
【請求項４】
前記撮影手段は、前記指示手段による１回の撮影の指示に応答して、前記指定手段により指定された撮影機能に基づく撮影と、前記撮影機能履歴情報により特定される撮影機能に基づく撮影と、の双方を行って複数の画像を撮影する第１の撮影手段と、前記指示手段による１回の撮影の指示に応答して、前記指定手段により指定された撮影機能に基づく撮影を行って１つの画像を撮影する第２の撮影手段と、を備え、
前記第１の撮影手段により撮影された画像と、前記第２の撮影手段により撮影された画像と、を分別して出力する手段をさらに備える、
ことを特徴とする請求項１乃至３のいずれか１項に記載の撮影装置。
【請求項５】
前記第１の撮影手段と、前記第２の撮影手段と、のいずれかを選択する手段と、
前記選択された第１の撮影手段と第２の撮影手段とのいずれかを有効とする手段と、
をさらに備えることを特徴とする請求項４に記載の撮影装置。
【請求項６】
削除対象の画像を指定する手段と、
前記削除対象として指定された画像について、同一の撮影の指示に応答して撮影された画像が関連付けられて保存されている場合には、前記指定された画像と、前記指定された画像に関連付けられている画像と、を削除する手段と、
を備えることを特徴とする請求項１乃至５のいずれか１項に記載の撮影装置。
【請求項７】
コンピュータに、
任意の撮影機能を指定する指定ステップ、
撮影を指示する指示ステップ、
前記指示手段による撮影の指示に応答して、前記指定ステップにより指定された撮影機能に基づく撮影と、過去の撮影において指定された撮影機能に関する撮影機能履歴情報により特定される撮影機能に基づく撮影と、を行う撮影ステップ、
同一の撮影の指示に応答して前記撮影ステップにより撮影された各画像を関連づけて保存するステップ、
前記撮影手段による撮影の後、前記指定手段により指定された撮影機能に基づいて、前記撮影機能履歴情報を更新する更新ステップ、
を実行させるプログラム。
【発明の詳細な説明】
【技術分野】
【０００１】
この発明は、１回の撮影指示に応じて複数回の撮影を行うデジタルカメラ等の撮影装置に関する。
【背景技術】
【０００２】
従来、デジタルカメラ等の撮影装置は、記録画素数、撮影画質、画像サイズ、ズーム、焦点調節、シャッタースピード等のような撮影に関する各種撮影機能を有している。ユーザは、所望の画像を撮影するために、被写体や撮影状況等に応じた撮影機能を選択して撮影を行う。
【０００３】
なお、ダイナミックレンジ拡大のため、１回のシャッター操作により異なる露光条件による複数回の撮影を行って、異なった条件の複数画像を合成する撮影装置もある。
【特許文献１】特開２００４−７２９８号公報（第８頁、第１図）
【発明の開示】
【発明が解決しようとする課題】
【０００４】
ユーザが使用する撮影機能はユーザ毎にほぼ定まっており、例えば、一般的なユーザはオートフォーカス機能を用いることが多く、また、花等を接写するユーザは、マクロ機能を多用する。このような状況において、普段はオートフォーカス機能を多用するユーザが、その従前の撮影においてマクロモードを用いた撮影を行い、その設定された状態で遠方撮影を行った場合、撮影状況に適さない撮影機能が設定された状態で撮影を行うため撮影ミスが生じてしまうが、デジタルカメラ等の小さなモニター画像では設定内容が適正でないことに気付かず、画像を取り損なってしまう虞があった。
【０００５】
本発明は、上記実状に鑑みてなされたものであり、撮影機能の設定ミスをカバーすることができる撮影装置等を提供することを目的とする。
また、撮影状況に適さない撮影機能が指定されたままでも、所望の画像を取得することができる撮影装置等を提供することを他の目的とする。
【課題を解決するための手段】
【０００６】
上記目的を達成するため、この発明の第１の観点に係る撮影装置は、
複数の撮影機能を備える撮影装置であって、
過去の撮影において指定された撮影機能に関する撮影機能履歴情報を記憶する撮影機能履歴情報記憶手段と、
任意の撮影機能を指定する指定手段と、
撮影を指示する指示手段と、
前記指示手段による撮影の指示に応答して、前記指定手段により指定された撮影機能に基づく撮影と、前記撮影機能履歴情報により特定される撮影機能に基づく撮影と、を行う撮影手段と、
同一の撮影の指示に応答して前記撮影手段により撮影された各画像を関連づけて保存する手段と、
前記撮影手段による撮影の後、前記指定手段により指定された撮影機能に基づいて前記撮影機能履歴情報を更新する更新手段と、
を備えることを特徴とする。
【０００７】
前記撮影機能履歴情報は、過去の撮影において指定された撮影機能の使用回数を示す情報であってもよく、
前記撮影手段は、前記撮影機能履歴情報に基づく撮影において、当該撮影機能履歴情報を参照し、過去の撮影において使用回数の多い撮影機能を特定し、当該特定した撮影機能に基づく撮影を行ってもよい。
【０００８】
複数回の撮影で使用された撮影機能の使用回数の情報を保持する手段と、
前記保持された撮影機能のうち、使用回数の多い撮影機能に絞り込む手段と、をさらに備えてもよく、
前記更新手段は、前記絞り込まれた撮影機能に基づいて前記撮影機能履歴情報を更新してもよい。
【０００９】
前記撮影手段は、前記指示手段による１回の撮影の指示に応答して、前記指定手段により指定された撮影機能に基づく撮影と、前記撮影機能履歴情報により特定される撮影機能に基づく撮影と、の双方を行って複数の画像を撮影する第１の撮影手段と、前記指示手段による１回の撮影の指示に応答して、前記指定手段により指定された撮影機能に基づく撮影を行って１つの画像を撮影する第２の撮影手段と、を備えてもよく、
前記第１の撮影手段により撮影された画像と、前記第２の撮影手段により撮影された画像と、を分別して出力する手段をさらに備えてもよい。
【００１０】
前記第１の撮影手段と、前記第２の撮影手段と、のいずれかを選択する手段と、
前記選択された第１の撮影手段と第２の撮影手段とのいずれかを有効とする手段と、
をさらに備えてもよい。
【００１１】
削除対象の画像を指定する手段と、
前記削除対象として指定された画像について、同一の撮影の指示に応答して撮影された画像が関連付けられて保存されている場合には、前記指定された画像と、前記指定された画像に関連付けられている画像と、を削除する手段と、
を備えてもよい。
【００１２】
また、この発明の第２の観点に係るプログラムは、
コンピュータに、
任意の撮影機能を指定する指定ステップ、
撮影を指示する指示ステップ、
前記指示手段による撮影の指示に応答して、前記指定ステップにより指定された撮影機能に基づく撮影と、過去の撮影において指定された撮影機能に関する撮影機能履歴情報により特定される撮影機能に基づく撮影と、を行う撮影ステップ、
同一の撮影の指示に応答して前記撮影ステップにより撮影された各画像を関連づけて保存するステップ、
前記撮影手段による撮影の後、前記指定手段により指定された撮影機能に基づいて、前記撮影機能履歴情報を更新する更新ステップ、
を実行させる。
【発明の効果】
【００１３】
本発明によれば、撮影機能の設定ミスをカバーし、所望の画像を取得することができる。
【発明を実施するための最良の形態】
【００１４】
以下、本発明の実施形態に係る撮影装置について図面を参照して説明する。
【００１５】
本発明の実施形態に係る撮影装置１の外観図の一例を図１に示す。図示されるように、撮影装置１の外面には、シャッタ１１、撮影画像等が表示される液晶モニタ１２、各種キー（マクロキー１３、メニューキー１４、確定キー１５、選択キー１６、切替キー１７等）等が配置されている。
【００１６】
撮影装置１のブロック構成図の一例を図２に示す。図示されるように、撮影装置１は、制御部２１と、表示部２２と、撮影部２３と、データ記録部２４と、メモリカード２５と、入力部２６と、伝送制御部２７と、を備える。
【００１７】
制御部２１は、ＣＰＵ（Central Processing Unit）、ＲＯＭ（Read Only Memory）、ＲＡＭ（Random Access Memory）等から構成される。ＣＰＵはＲＯＭに予め記憶された動作プログラム等を読み出して実行することにより、後述する各種処理を行う。ＲＯＭにはＣＰＵにより実行される動作プログラム及び各種データが記憶される。また、ＲＡＭには、撮影機能・撮影条件等の設定内容を示す設定情報と、過去の撮影時において設定されていた撮影機能に関する撮影機能履歴情報と、複数画像撮影機能と通常撮影機能（単数撮影機能）のいずれがオン状態であるかを示す切替設定情報等が記憶される。ここで、複数画像撮影機能とは、１回の撮影指示に応じて、設定情報が示す設定内容での撮影と、撮影機能履歴情報に基づいた撮影と、を行う機能である。また、通常撮影機能（単数撮影機能）とは、１回の撮影指示に応じて、設定情報が示す設定内容での撮影を行う通常の撮影機能である。また、撮影機能履歴情報は、例えば図３に示すように、過去の各撮影において利用された撮影機能毎の撮影枚数を示すものである。例えば図３の撮影機能履歴情報には、「マクロ撮影」、「ノーマルモード」、「画像サイズ：１２８０×９６０」等の撮影機能の組み合わせで撮影された画像の枚数が「５」、「マクロ撮影」、「ノーマルモード」、「画像サイズ：６１０×４８０」等の撮影機能の組み合わせで撮影された画像の枚数が「９０」、「マクロ撮影」、「ノーマルモード」、「画像サイズ：３２０×２４０」等の撮影機能の組み合わせで撮影された画像の枚数が「１０」であることが示されている。制御部２１は、シャッタ操作によって撮影画像データが生成される度に、その撮影時に設定されていた撮影機能に基づいて撮影機能履歴情報を更新する。具体的には、例えば、撮影機能履歴情報における各枚数値のうち、撮影時に設定されていた撮影機能のパターンに対応する枚数値に１だけ加算する処理を行う。
【００１８】
表示部２２は、液晶モニタ等から構成され、制御部２１からの指示に従って、撮影中の画像や撮影済みの画像等の表示を行う。
撮影部２３は、被写体像をＣＣＤ（Charged Coupled Device）の表面に結像させるレンズと、レンズにより結像された被写体像を光電変換して画像の電子信号を出力するＣＣＤと、ＣＣＤからの出力信号のＡ／Ｄ変換処理やＡ／Ｄ変換された画像データについて補正処理、圧縮処理等を行う映像処理部と、を含む。
データ記録部２４は、制御部２１からの指示に従って、撮影部２３により撮影された画像データ等を本装置に装着されたメモリカード２５に記録し、また、メモリカード２５に記録された画像データ等を読み出す。
メモリカード２５は、画像データ等を記録するための記録媒体であり、本装置から着脱可能である。
【００１９】
入力部２６は、シャッタ１１や各種キー（マクロキー１３、メニューキー１４、確定キー１５、選択キー１６、切替キー１７等）から構成され、ユーザによる入力操作を受け付けて、入力操作内容を制御部２１に通知する。
例えば、シャッタ１１は、撮影を指示するためのボタンである。
また、マクロキー１３は、マクロ撮影（接写）機能をオン／オフするためのキーである。
また、メニューキー１４は、初期メニュー画面を表示部２２に表示させるためのキーである。例えばメニューキー１４が押下されると、制御部２１は、図４（Ａ）に例示すような初期メニュー画面を表示部２２に表示する。この初期メニュー画面は、例えば、撮影画像の画質を設定するための「撮影画質」、撮影画像のサイズを設定するための「画像サイズ」、その他の各種撮影機能等を選択するための撮影機能「撮影機能」画像データをパーソナルコンピュータ等の他の装置に転送するための「画像データ送信」、メモリカード２５に記録された画像をクリアするための「クリア」等の項目を表示する。
確定キー１５は、入力内容（例えば、各種撮影機能の選択内容等）を確定させるためのキーである。
選択キー１６は、例えば、表示された複数の選択肢から所望のものを選択するためのキーである。例えば図４（Ａ）に示すような初期メニュー画面においてユーザが「撮影画質」の項目を選択したい場合には、選択キー１６を操作してカーソルを「撮影画質」に移動する。そして、カーソルが「撮影画質」にある状態で確定キー１５を押下すると、「撮影画質」の選択入力が確定し、例えば図４（Ｂ）に示すような、撮影画質のパターンを選択するための下位画面（詳細機能設定画面）が表示部２２に表示される。
切替キー１７は、一回の撮影指示に応じて複数の撮影条件で画像を撮影する複数画像同時撮影モードと、一回の撮影指示に応じて設定情報が示す撮影条件で１つの画像を撮影する通常撮影モード（単数撮影モード）と、の切替を行うためのキーである。例えば、複数画像同時撮影モードに設定されている状態で、このキーが押下されると、制御部２１は、メモリにおける切替設定情報の設定を、「複数画像同時撮影モード」から「通常撮影モード」に変更する。
【００２０】
伝送制御部２７は、制御部２１からの指示に従って、メモリカード２５から読み出された画像データ等を他の装置に転送するための通信を制御する。
【００２１】
次に、撮影装置１の動作について図５のフローチャートを参照して説明する。
例えば撮影装置１の電源がオンされると、撮影部２３は、ＣＣＤから得られる撮影信号に基づいて撮影画像データを生成する（ステップＳ１）。
制御部２１は、ステップＳ１で生成された撮影画像データを用いて表示部２２の液晶モニタに撮影画像を表示する（ステップＳ２）。
そして、制御部２１は、入力部２６から入力があるか否かを判定し（ステップＳ３）、入力がない場合（ＮＯ）、フローはステップＳ１に戻る。
また、ステップＳ３において入力有りと判定された場合（ＹＥＳ）、その入力がシャッタ操作、すなわち、シャッタボタンの押下であるかを判定し（ステップＳ４）、シャッタ操作である場合には（ＹＥＳ）、所定の撮影処理を実行して（ステップＳ５）、ステップＳ１に戻る。
【００２２】
ここで、撮影処理の詳細について図６のフローチャートを参照して説明する。
制御部２１は、メモリに記憶される枝番カウンタをリセットする等の初期化処理を行った後（ステップＳ１１）、メモリの設定情報を参照し、設定されている撮影機能や撮影条件に基づく撮影を撮影部２３に指示し、この指示に基づく撮影画像データを撮影部２３から取り込む（ステップＳ１２）。このとき、メモリを参照して、複数画像撮影機能がオン状態であるかを判定し（ステップＳ１３）、オン状態である場合には（ＹＥＳ）、内部タイマから取得したその時点の年・月・日のデータと、メモリから取り出した連番と枝番のデータと、からなる識別情報を生成し、生成した識別符号を付与した撮影画像データをメモリカード２５に記憶（保存）する（ステップＳ１４）。
【００２３】
次に、制御部２１は、メモリの撮影機能履歴情報を参照し、撮影時における利用率が所定値以上の撮影機能パターンがあるかを判定し（ステップＳ１５）、該当する撮影機能のパターンがあると判定された場合には（ＹＥＳ）、該当する撮影機能パターンを抽出する（ステップＳ１６）。この判定処理では、例えば、撮影機能履歴情報が示す各撮影機能のパターンでの撮影枚数から最大枚数を特定し、その最大枚数の数値の５０％以上の枚数に対応する撮影機能パターンがあるかを判定する。図３の撮影機能履歴情報を例に説明すると、この撮影機能履歴情報における最大枚数は「１００」であるため、その５０％の「５０」以上を枚数とする撮影機能のパターンがあるかを判定する。そして図３では、「マクロ撮影」、「ノーマルモード」、「画像サイズ：６１０×４８０」の撮影機能の組み合わせパターンと、「通常（合焦範囲）撮影」、「ノーマルモード」、「画像サイズ：１２８０×９６０」の撮影機能のパターンと、「通常撮影」、「ノーマルモード」、「画像サイズ：６１０×４８０」の撮影機能の組み合わせパターンと、「通常撮影」、「夜景モード」、「画像サイズ：６１０×４８０」の撮影機能の組み合わせパターンと、の４つのパターンが抽出される。
【００２４】
次に、制御部２１は、抽出した全ての撮影機能パターンについて処理が終了したか判定し（ステップＳ１７）、終了していない場合には（ＮＯ）、例えば枚数値の多い順に、抽出した撮影機能パターンから１つの撮影機能パターンを取り出し（ステップＳ１８）、その撮影機能が、ステップＳ１２で用いた撮影機能と同一であるか、即ち、メモリの設定情報に設定されている撮影機能と同一であるかを判別し（ステップＳ１９）、同一である場合には（ＹＥＳ）、ステップＳ１７に戻って、次の撮影機能のパターンを読み出す。また、同一でない場合には（ＮＯ）、読み出した撮影機能パターンでの撮影を撮影部２３に指示し、その指示に基づく撮影画像データを撮影部２３から取り込む（ステップＳ２０）。そして、メモリにおける枝番に１だけ加算した後（ステップＳ２１）、内部タイマから取得したその時点の年・月・日のデータと、メモリから取り出した連番と枝番のデータと、からなる識別情報を生成し、生成した識別情報を付与した撮影画像データをメモリカード２５に記憶（保存）し、ステップＳ１７に戻る。
【００２５】
そして、ステップＳ１７において、抽出した全ての撮影機能パターンについて処理が終了したと判定された場合（ＹＥＳ）、メモリにおける撮影機能履歴情報について、設定情報の内容に対応する撮影機能パターンの枚数に１を加算する（ステップＳ２４）。例えば、設定情報として、「通常撮影」、「ノーマルモード」、「画像サイズ：１２８０×９６０」等の撮影機能が設定されている場合には、撮影機能履歴情報の「通常撮影」、「ノーマルモード」、「画像サイズ：１２８０×９６０」の撮影機能パターンに対応する枚数値に１を加算する。
そして、ステップＳ２４における加算後の枚数が、所定値（例えば、１０００等）を超過したかを判定し（ステップＳ２５）、超過した場合には（ＹＥＳ）、撮影機能履歴情報における全枚数値を１／１０の値にして再登録する等の所定の枚数圧縮処理を行い（ステップＳ２６）、メモリの連番に１だけ加算して（ステップＳ２７）、メインフローに戻る。また、超過していないと判定された場合には（ＮＯ）、メモリの連番に１だけ加算して（ステップＳ２７）、そのままメインフローに戻る。
なお、枚数圧縮処理において、全枚数値を１／１０の値にした際に、各枚数値の端数は四捨五入してもよい。
また、上記のステップＳ１５で、該当する撮影機能のパターンがないと判定された場合には（ＮＯ）、ステップＳ２４に移行する。
【００２６】
また、ステップＳ１３において、メモリの複数画像撮影機能がオン状態でない場合には（ＮＯ）、制御部２１は、内部タイマから取得したその時点の年・月・日のデータと、メモリから取り出した連番のデータと、からなる識別情報を生成し、生成した識別情報を付与した撮影画像データをメモリカード２５に記憶（保存）する（ステップＳ２３）。そして、制御部２１は、メモリにおける撮影機能履歴情報について、設定情報の内容に対応する撮影機能パターンの枚数に１を加算し（ステップＳ２４）、加算後の枚数が、所定値を超過したかを判定し（ステップＳ２５）、超過した場合には（ＹＥＳ）、枚数圧縮処理を行い（ステップＳ２６）、メモリの連番に１だけ加算して（ステップＳ２７）、メインフローに戻る。また、超過していないと判定された場合には（ＮＯ）、メモリの連番に１だけ加算して（ステップＳ２７）、メインフロー（図５）に戻る。
【００２７】
次に、図５に示すフローチャートのステップＳ５で、入力がシャッタ操作ではなく（ＮＯ）、外部出力を指示する入力（例えば、処理メニューから「画像データ送信」が選択された場合等）である場合には（ステップＳ６：ＹＥＳ）、所定の外部出力処理を実行して（ステップＳ７）、ステップＳ１に戻る。
【００２８】
ここで、外部出力処理の詳細について図７のフローチャートを参照して説明する。
制御部２１は、伝送制御部２７を介して本撮影装置１が外部機器と接続中であるかを判定する（ステップＳ３１）。判定方法は任意であり、例えば、所定の信号を送信して、応答信号が返信されているか否かに基づいて外部機器の接続の有無を判定してもよい。
外部機器が接続中ではない場合（ステップＳ３１：ＮＯ）、外部機器が未接続である旨のガイダンスを表示部２２に表示（ステップＳ３２）して、メインフローに戻る。
また、外部機器が接続中である場合（ステップＳ３１：ＹＥＳ）、送信対象の画像データ（例えば、メモリカード２６に記憶されている全画像データ）のうち、その識別番号に枝番を含むものがあるか否かを判定する（ステップＳ３３）。なお、メモリカード２６に記憶されている画像データから、送信対象の画像データをユーザが選択入力するようにしてもよい。
制御部２１は、送信対象の画像データに、その識別番号に枝番を含むものがある場合には（ステップＳ３３：ＹＥＳ）、枝番を含む識別番号が付与されている画像データを１つのファイルにまとめる（ステップＳ３４）。
次に、制御部２１は、識別番号が枝番を含まない画像データを１つのファイルにまとめる（ステップＳ３５）。
そして、制御部２１は、ステップＳ３４とＳ３５で生成された画像データのファイルを伝送制御部２７を介して外部機器に送信し（ステップＳ３６）、メインフロー（図５）に戻る。なお、ステップＳ３３において、識別番号に枝番を含むものがない場合には（ステップＳ３３：ＮＯ）、ステップＳ３４をスキップしてステップＳ３５に移行する。
【００２９】
次に、図５のフローチャートのステップＳ６で、入力が外部出力を指示するものではなく（ＮＯ）、画像クリアを指示するもの（例えば、処理メニューから「画像クリア」が選択された場合等）である場合には（ステップＳ８：ＹＥＳ）、所定の画像クリア処理を実行して（ステップＳ９）、ステップＳ１に戻る。
【００３０】
ここで、画像クリア処理の詳細について図８のフローチャートを参照して説明する。
制御部２１は、削除対象の画像データの選択入力を受け付ける（ステップＳ４１）。具体的には、メモリカード２６から画像データを読み出して、表示部２２に表示して、カーソル操作により削除対象の画像データを選択させるようにしてもよい。
次に、制御部２１は、削除対象として選択された画像データが枝番付きの画像データであるか、即ち、画像データの識別番号が枝番を含むか否かを判定する（ステップＳ４２）。これにより、削除対象として指定された画像について、同一の撮影の指示に応答して撮影された画像が存在するかを判定する。
そして、ステップＳ４２において、識別番号が枝番を含む場合には（ＹＥＳ）、その画像データに関連付けられた画像データ、即ち、その削除対象の画像データの識別番号における連番を識別番号に含む画像データを全てメモリカード２６から削除し（ステップＳ４３）、メインフローに戻る。
また、ステップＳ４２において、識別番号が枝番を含まない場合には（ＮＯ）、選択された画像データをメモリカード２６から削除し（ステップＳ４４）、メインフロー（図５）に戻る。
【００３１】
次に、図５のフローチャートのステップＳ８で、入力が画像クリアを指示するものではなく（ＮＯ）、撮影機能等を選択するもの（例えば、処理メニューから「撮影画質」、「画像サイズ」、「その他の撮影機能」等が選択された場合等）である場合には（ステップＳ１０：ＹＥＳ）、詳細機能選択画面を表示等して、撮影機能の詳細に関する選択入力を受け付ける（ステップＳ１１）。そして、選択入力された撮影機能の内容をメモリの設定情報に登録して（ステップＳ１２）、ステップＳ１に戻る。なお、ステップＳ１０において、入力が撮影機能等を選択するものではない場合には（ＮＯ）、ステップＳ１に移行する。
【００３２】
以上説明したように、本発明によれば、撮影装置１が備える多数の撮影機能についてユーザによる利用履歴、利用頻度等の情報を記録しておき、撮影時の１回のシャッタ操作によって、設定されている撮影機能と、履歴にある撮影機能と、に基づく複数の画像を撮影する。これにより、同一の被写体について、ユーザにより設定（選択）された撮影機能による撮影画像と、過去の撮影において利用頻度の高い撮影機能による撮影画像と、を得ることができるため、ユーザが撮影機能の選択ミスをしていても、それをカバーすることができる。また、撮影状況に適した撮影機能による撮影画像を取得できる可能性が飛躍的に向上する。
【００３３】
また、本発明は種々の変形及び応用が適用可能である。
例えば、撮影機能履歴情報の内容は任意であり、例えば、前回の撮影時に設定されていた撮影機能を記憶する簡易的なデータ構造としてもよい。この場合、制御部２１は、シャッタ操作による撮影を行う度に、その際に設定されている撮影機能を撮影機能履歴情報として更新記憶するようにしてもよい。そして、複数画像撮影機能がオン状態の場合には、１回のシャッタ操作に応じて、設定情報が示す撮影機能による撮影と、撮影機能履歴情報が示す撮影機能による撮影と、を行うようにしてもよい。また、過去所定回数分（例えば、５回分）の撮影で利用した撮影機能のパターンを記憶しておき、撮影する毎に、古いものから削除して、新たな撮影機能パターンを追加登録するようにしてもよい。
また、上記説明では、撮影を行う毎に撮影機能履歴情報を更新するようにしていたが、これに限定されず、例えば、撮影時は、選択（設定）された撮影機能とその撮影機能を使用した回数の情報をメモリに一時的に記憶しておき、パワーオフ時に、メモリの保持された情報に基づいて、使用回数の多い撮影機能を絞り込んで記録するようにしてもよい。絞り込みの基準は任意であり、例えば、メモリに保持されている使用回数のうち最も回数が多い撮影機能に絞り込んでもよく、また、使用回数が所定値以上の撮影機能に絞り込んでもよい。
【００３４】
また、例えば、図７の外部出力処理では、識別番号に枝番を含む画像データを１つのファイルにまとめて送信しているが、識別番号に枝番を含む画像データについて、連番が同一のものをまとめて１つのファイルに格納してもよい。これにより、枝番が付与されている画像データについては、連番毎にファイルが生成される。
また、本発明はカメラを備えた種々の機器（例えば、携帯電話、ＰＤＡ、ウェアラブルパーソナルコンピュータ、ビデオカメラ等）について適用可能である。
【００３５】
なお、この発明のシステムは、専用のシステムによらず、通常のコンピュータシステムを用いて実現可能である。例えば、上述の動作を実行するためのプログラムをコンピュータ読み取り可能な記録媒体（ＦＤ、ＣＤ−ＲＯＭ、ＤＶＤ等）に格納して配布し、該プログラムをコンピュータにインストールすることにより、上述の処理を実行する、撮影装置を構成してもよい。また、インターネット等のネットワーク上のサーバ装置が有するディスク装置に格納しておき、例えばコンピュータにダウンロード等するようにしてもよい。
また、上述の機能を、ＯＳが分担又はＯＳとアプリケーションの共同より実現する場合等には、ＯＳ以外の部分のみを媒体に格納して配布してもよく、また、コンピュータにダウンロード等してもよい。
【図面の簡単な説明】
【００３６】
【図１】本発明の実施形態に係る撮影装置の外観図の一例を示す図である。
【図２】本発明の実施形態に係る撮影装置のブロック構成図の一例を示す図である。
【図３】撮影機能履歴情報を説明するための図である。
【図４】初期メニュー画面と詳細機能設定画面の一例を示す図である。
【図５】本発明の実施形態にかかる撮影装置の動作を説明するためのフローチャートである。
【図６】撮影処理を説明するためのフローチャートである。
【図７】外部出力処理を説明するためのフローチャートである。
【図８】画像クリア処理を説明するためのである。
【符号の説明】
【００３７】
１・・・撮影装置、１１・・・シャッタ、１２・・・液晶モニタ、１３・・・マクロキー、１４・・・メニューキー、１５・・・確定キー、１６・・・選択キー、１７・・・切替キー、２・・・圧縮データ再生部、２１・・・制御部、２２・・・表示部、２３・・・撮影部、２４・・・データ記録部、２５・・・メモリカード、２６・・・入力部、２７・・・伝送制御部
【図１】
2005278026.tif 000003
【図２】
2005278026.tif 000004
【図３】
2005278026.tif 000005
【図４】
2005278026.tif 000006
【図５】
2005278026.tif 000007
【図６】
2005278026.tif 000008
【図７】
2005278026.tif 000009
【図８】
2005278026.tif 000010